(57)【要約】【課題】バルク仕様のテープカートリッジの収納ケースにおいて、ケースの稜の部分が大きく破断するのを防止する。【解決手段】テープカートリッジＴを整列させた状態で収納する収納ケース１である。互いに突き合わせて接合する一対の部材２，２を備える。各部材２は、矩形枠状の周壁１１と底壁１２とを含む箱形状のケース部１０を有している。ケース部１０の稜線部２０は複数のリブ１６で区切られていて、稜１７における突出量の異なる、第１部分稜線部２１と第２部分稜線部２２とが交互に並んでいる。【選択図】    図３
2011162252.tif 000002
【特許請求の範囲】
【請求項１】
記憶媒体のカートリッジを整列させた状態で収納する収納ケースであって、
互いに突き合わせて接合することにより、前記カートリッジを収納する収納空間が形成される一対の部材を備え、
前記一対の部材のうち少なくとも一方は、それぞれが対向する一対の側壁及び一対の端壁で構成された矩形枠状の周壁と、前記周壁の底面を塞ぐ底壁とを含む箱形状のケース部を有し、
前記底壁と前記周壁とで形成される稜を含む前記ケース部の稜線部に、外側から窪んで内側に突出する複数のリブが形成され、
前記複数のリブは前記稜に沿って並んで設けられ、これら複数のリブによって前記稜線部が、少なくとも第１部分稜線部及び第２部分稜線部を含む複数の部分稜線部に区切られていて、
前記第１部分稜線部と前記第２部分稜線部とで、前記稜における突出量が異なっている収納ケース。
【請求項２】
請求項１に記載の収納ケースにおいて、
前記稜が延びる方向から見て、
前記複数の部分稜線部のそれぞれは、隅部に優弧状の膨出部を有し、
前記第１部分稜線部の前記膨出部が、隙間を隔て前記第２部分稜線部の前記膨出部の内側に位置している収納ケース。
【請求項３】
請求項１に記載の収納ケースにおいて、
前記稜が延びる方向から見て、
前記複数の部分稜線部のそれぞれは、前記底壁における前記周壁との連結部分に半円状の第２膨出部を有し、
前記第１部分稜線部の前記第２膨出部が、隙間を隔て前記第２部分稜線部の前記第２膨出部の内側に位置している収納ケース。
【請求項４】
請求項１〜請求項３のいずれか１つに記載の収納ケースにおいて、
前記稜線部が、前記第１部分稜線部と前記第２部分稜線部とで構成され、
前記第１部分稜線部と前記第２部分稜線部とが前記稜に沿って交互に設けられている収納ケース。
【請求項５】
請求項１〜請求項４のいずれか１つに記載の収納ケースにおいて、
前記一対の部材のそれぞれは、前記ケース部を有する同一形状の部材からなり、
前記複数のリブは、前記一対の側壁の側において前記底壁を挟んで対向する一対の稜線部のそれぞれに形成され、
前記一対の稜線部において、一方の稜線部の前記第１部分稜線部は、他方の稜線部の前記第２部分稜線部と対向するように配置されている収納ケース。
【請求項６】
請求項５に記載の収納ケースにおいて、
前記底壁の外面に、嵌合部が形成されており、
２つの前記底壁は、これらの外面を突き合わせることにより、一方の底壁の前記嵌合部と他方の底壁の前記嵌合部とが嵌合可能とされ、
前記２つの嵌合部を嵌合した状態において、前記２つの底壁間の距離よりも、前記第１部分稜線部の前記外面からの突出量と、前記第２部分稜線部の前記外面からの突出量との総量の方が小さく設定されている収納ケース。
【発明の詳細な説明】
【技術分野】
【０００１】
本発明は、例えば、複数のテープカートリッジをまとめて輸送する場合などに好適な収納ケースに関する。
【背景技術】
【０００２】
ディスクカートリッジやテープカートリッジ等、記憶媒体のカートリッジ（単に、カートリッジともいう）は、ホストコンピュータのバックアップなどで大量にまとめて交換されることがある。そのような場合、カートリッジを個別にケースに収納した包装形態であると取り扱いが面倒であるため、例えば２０個等の複数のカートリッジを１つのケースにまとめて収納するバルク仕様の包装形態が好まれる。
【０００３】
そのようなバルク仕様のケースの１つとして、本発明者らによるケースが開示されている（特許文献１）。
【０００４】
特許文献１のケースは、互いに接合される上下２つのケースで構成されている。詳しくは、上側のケースは、下面が開口する矩形箱状の容器本体と、その開口の周りに張り出すフランジとを備えている。下側のケースは同形態にして上面が開口している。各ケースの容器本体には、収納する個々のカートリッジを支持し、その接触を防ぐ複数のリブが一定の間隔で内側に膨出するように形成されている。各ケースのフランジの四隅には、いずれも上面側に突出する凸部が形成されている。
【０００５】
下ケースに複数のカートリッジを収納した後、凸部の内外面を嵌合させながら上下のケースを突き合わせ、各ケースのフランジを接合して上下のケースを一体化する。複数のカートリッジを収納したケースは、更に段ボール箱に収納して梱包され、その状態で物流の下におかれる。
【先行技術文献】
【特許文献】
【０００６】
【特許文献１】特開２００９−２８６４２５号公報
【発明の概要】
【発明が解決しようとする課題】
【０００７】
特許文献１のようなケースの多くは、一般に、プラスチックシートを真空成形して製造されている。カートリッジ自体は比較的軽量であるため、数個程度であればそのようなケースでも強度は十分であるが、バルク仕様のように多数になるとその重量も相当なものになるため、輸送時や取り扱い時にそのケースを落下した場合、カートリッジの重さに耐えきれず、ケースが破損することがある。
【０００８】
図１２に示すように、特に、ケース１００の稜の部分（例えば、底面と側面とが交わって形成される線状のエッジ部分）から落下した場合には、その稜の部分が直線状に大きく破断し、割れ目１０１が形成されることがある。ケースにこのような大きな割れ目１０１が形成されると、見た目が悪い上に、取り扱い時にその割れ目１０１からカートリッジＴが抜け落ちるおそれがある。さらに、ケースに割れ目１０１が形成されるのと同時に、ケースの稜部に近接しているカートリッジの角部にも落下衝撃が直接加わるため、カートリッジが変形・破損するおそれがある。
【０００９】
そこで、本発明の目的は、ケースの稜の部分が大きく破断するのを効果的に防ぐことのできる収納ケースを提供することにある。
【課題を解決するための手段】
【００１０】
上記目的を達成するために、本発明では、収納ケースの稜の部分の構造を工夫した。
【００１１】
具体的には、本発明の収納ケースは、記憶媒体のカートリッジを整列させた状態で収納する収納ケースであって、互いに突き合わせて接合することにより、前記カートリッジを収納する収納空間が形成される一対の部材を備え、前記一対の部材のうち少なくとも一方は、それぞれが対向する一対の側壁及び一対の端壁で構成された矩形枠状の周壁と、前記周壁の底面を塞ぐ底壁とを含む箱形状のケース部を有し、前記底壁と前記周壁とで形成される稜を含む前記ケース部の稜線部に、外側から窪んで内側に突出する複数のリブが形成され、前記複数のリブは前記稜に沿って並んで設けられ、これら複数のリブによって前記稜線部が、少なくとも第１部分稜線部及び第２部分稜線部を含む複数の部分稜線部に区切られていて、前記第１部分稜線部と前記第２部分稜線部とで、前記稜における突出量が異なっている収納ケースである。
【００１２】
かかる構成の収納ケースであれば、収納ケースの稜の部分（底壁と周壁とで形成される稜を含むケース部の稜線部）が、複数のリブで複数の部分稜線部に区切られていて、そこには稜における突出量が異なる部分（第１部分稜線部と第２部分稜線部）が存在している。従って、その突出量の大小により、稜の部分には、床面等に衝突し易い部分と衝突し難い部分とが生じる。その結果、稜の部分の一部が破損して小さな割れを生じることはあっても、大部分が破損して直線状の大きな割れを生じることは効果的に阻止できる。
【００１３】
より具体的には、前記稜が延びる方向から見て、前記複数の部分稜線部のそれぞれは、隅部に優弧状の膨出部を有し、前記第１部分稜線部の前記膨出部が、隙間を隔て前記第２部分稜線部の前記膨出部の内側に位置しているようにするのが好ましい。
【００１４】
そうすれば、隅部を構造的に強化できる。すなわち、稜の部分に外力が加わった場合には、その外力が効果的に分散し、局所に集中するのを抑制できるので、強度を向上させることができる。また、カートリッジをがたつくことなく収容できる。すなわち、カートリッジの隅部がほぼ直角に形成されていても、その隅部を膨出部に受け入れることができるので、カートリッジとケース部との密着度合いが高まって、カートリッジをがたつくことなく収容できる。
【００１５】
また、前記稜が延びる方向から見て、前記複数の部分稜線部のそれぞれは、前記底壁における前記周壁との連結部分に半円状の第２膨出部を有し、前記第１部分稜線部の前記第２膨出部が、隙間を隔て前記第２部分稜線部の前記第２膨出部の内側に位置しているようにしてあってもよい。
【００１６】
この場合、側壁側は膨出していないので、成形が容易になる利点がある。例えば、真空成形で金型から成形した部材を抜き取る際には、通常、底壁と直交する方向に部材は抜き取られる。その際、側壁側は膨出していないので無理抜きにならず、容易に抜き取ることができ、生産性に優れる。特に衝突し易い底壁側に第２膨出部が形成されているので、破損を効率よく阻止できる。カートリッジを収納する際には第２膨出部が邪魔にならないので、カートリッジのがたつきも抑制できる。
【００１７】
特に、前記稜線部が、前記第１部分稜線部と前記第２部分稜線部とで構成され、前記第１部分稜線部と前記第２部分稜線部とが前記稜に沿って交互に設けられているようにするのが好ましい。
【００１８】
そうすれば、破損し易い部分稜線部と破損し難い部分稜線部とがバランス良く配置されているので、稜線部全体としての強度に優れる。しかも、破損したとしても、破損し易い部分稜線部が断続的に破損するので、小さい割れ目しか生じ得ず、取り扱い時におけるカートリッジの抜け落ちも確実性をもって阻止できる。
【００１９】
例えば、前記一対の部材のそれぞれは、前記ケース部を有する同一形状の部材からなり、前記複数のリブは、前記一対の側壁の側において前記底壁を挟んで対向する一対の稜線部のそれぞれに形成され、前記一対の稜線部において、一方の稜線部の前記第１部分稜線部は、他方の稜線部の前記第２部分稜線部と対向するように配置されているようにすればよい。
【００２０】
そうすれば、一対の部材のそれぞれを共用できるので、生産性に優れ、取り扱いも楽になる。しかも、突出量の大きい部分稜線部どうしが対向しないように収納ケースを積み重ねることができるので、複数の収納ケースを積み重ねる時に収納ケース間の隙間を小さくできる。
【００２１】
この場合、前記底壁の外面に、嵌合部が形成されており、２つの前記底壁は、これらの外面を突き合わせることにより、一方の底壁の前記嵌合部と他方の底壁の前記嵌合部とが嵌合可能とされ、前記２つの嵌合部を嵌合した状態において、前記２つの底壁間の距離よりも、前記第１部分稜線部の前記外面からの突出量と、前記第２部分稜線部の前記外面からの突出量との総量の方が小さく設定されているようにすることができる。
【００２２】
そうすれば、複数の収納ケースを積み重ねる時に、各収納ケースの稜線部が接触しないので、嵌合部をしっかりと嵌合させることができるうえに、積み重ねた後も、２つの収納ケースの稜線部どうしの接触を確実性をもって避けることができるので、例えば、擦れ合いによる摩耗や潰れ等を効果的に防ぐことができ、利便性や耐久性に優れる。
【発明の効果】
【００２３】
以上説明したように、本発明の収納ケースによれば、収納ケースの稜の部分が大きく破断するのを効果的に防ぐことができる。
【図面の簡単な説明】
【００２４】
【図１】本実施形態の収納ケースの部材（半身ケース）を示す概略斜視図である。
【図２】（ａ）は半身ケースの正面図、（ｂ）は半身ケースの平面図、（ｃ）は半身ケースの底面図である。
【図３】収納ケースの要部を示す概略斜視図である。
【図４】図３で矢印で示す稜が延びる方向から収納ケースの稜線部を見た図である。
【図５】図４における概略断面図である。
【図６】（ａ）は収納ケースを積み重ねた状態を示す概略側面図である。（ｂ）は（ａ）における２点鎖線で示す部分の概略図である。
【図７】収納ケースを梱包する過程を示す概略図である。
【図８】梱包された収納ケースの落下の様子を示す概略図である。
【図９】収納ケースの変形例を示す概略平面図である。
【図１０】図９の収納ケースを底側から見た概略斜視図である。
【図１１】（ａ），（ｂ）は稜線部の変形例を示す概略図である。
【図１２】従来の収納ケースにおいて破損した状態を示す概略斜視図である。
【発明を実施するための形態】
【００２５】
以下、本発明の実施形態を図面に基づいて詳細に説明する。ただし、以下の説明は、本質的に例示に過ぎず、本発明、その適用物あるいはその用途を制限するものではない。
【００２６】
図１に、本実施形態の収納ケース１の一部（半身ケース２）を示す。この収納ケース１は、それぞれが同一形状の部材である一対の半身ケース２，２で構成されている。各半身ケース２，２に同一形状の部材を使用することで、生産性に優れ、取り扱いも楽になる。これら半身ケース２，２を上下に接合して形成される収納空間には、６個のテープカートリッジＴ，Ｔ，…を整列させた状態で収納することができる。
【００２７】
各半身ケース２は、例えば、ＰＥＴやＰＰ等の合成樹脂のシートを加熱して軟化させた後、真空引きにより所定形状の金型に密着させて成形する、いわゆる真空成形により一体成形されている。本実施形態の各半身ケース２の素材には、透明性に優れたＰＥＴ（ポリエチレンテレフタレート）が用いられている。そうすることで、収納ケース１の外から収納したテープカートリッジＴをはっきりと視認でき、例えば、テープカートリッジＴにバーコードが貼り付けられている場合には、収納ケース１を通してバーコードを読み取ることができるため、利便性に優れる。
【００２８】
図２にも示すように、各半身ケース２は、１つの面に開口を有する矩形（長方形）箱形状をしたケース部１０と、ケース部１０の開口の縁から全周にわたって外方に張り出したフランジ部３０とを備えている。
【００２９】
フランジ部３０の四隅の部分には、それぞれ係合部３１ａ，３１ａ，３１ｂ，３１ｂが形成されている。詳しくは、フランジ部３０の一方の対角位置に、それぞれ開口側の面に突出する凸部３１ａ，３１ａが形成され、他方の対角位置にそれぞれ、逆向きに突出して凸部３１ａ，３１ａと嵌合する凹部３１ｂ，３１ｂが形成されている。従って、一対の半身ケース２，２を開口側から突き合わせることで、各凹部３１ａと各凸部３１ｂとが嵌合し、フランジ部３０どうしを密着させることができる。そうして２つの半身ケース２，２を接合することで略密閉された収納ケース１が得られる。
【００３０】
ケース部１０は、長方形枠状の周壁１１と、これの底面を塞ぐ長方形板状の底壁１２とを有している。詳しくは、周壁１１は、底壁１２と一体に形成されていて、互いに対向する一対の側壁１１ａ，１１ａ（長辺側）と、これら側壁１１ａ，１１ａと直交して互いに対向する一対の端壁１１ｂ，１１ｂ（短辺側）とで構成されている。
【００３１】
底壁１２の中央部には、長辺に沿って一定間隔で並ぶ底リブ１３が複数（本実施形態では７つ）形成されている。各底リブ１３は、短寸の畝形状を呈し、底壁１２がケース部１０の内側に隆起して短辺に沿って延びるように形成されている。両端の底リブ１３のそれぞれは、一部が端壁１１ｂと一体に形成されている。
【００３２】
底壁１２には、２つの半身ケース２，２をその底壁１２側から突き合わせて着脱可能に接合するために、第１及び第２の嵌合リブ１４，１５（嵌合部）が横並びに形成されている。これら嵌合リブ１４，１５は、平面視で四角形環状に形成され、底壁１２の内側から窪んで外側に帯状に突出している。平面視で第１の嵌合リブ１４は第２の嵌合リブ１５よりもひとまわり大きく形成されている。各嵌合リブ１４，１５は、底面の中心に対して点対称な位置に配置されている。各嵌合リブ１４，１５を向かい合わせた状態で、２つの半身ケース２，２のそれぞれの底壁１２，１２の外面を突き合わせることによって両嵌合リブ１４，１５が嵌合する。これにより、収納ケース１は、連結しながら上下に積み重ねることができる（図６参照）。
【００３３】
ケース部１０の内側における底壁１２から両側壁１１ａ，１１ａのそれぞれにわたる部分には、縦リブ１６がそれぞれ７つずつ形成されている。詳しくは、底壁１２と側壁１１ａとで形成される稜１７（底壁１２と側壁１１ａとが交わって形成される線分、エッジ）を含むケース部１０のその稜に沿った部分（稜線部２０）に、外側から窪んで内側に突出する複数の縦リブ１６が形成されている。各縦リブ１６は、各側壁１１ａの内面を底壁１２から開口に向かって延びるように形成され、先端側に向かって次第に窄まるように形成されている。各縦リブ１６は、底リブ１３と同じ幅寸法で形成されている。
【００３４】
各縦リブ１６は、稜１７に沿って底リブ１３と同じ間隔で並んで設けられ、底壁１２を挟んでそれぞれ対向している。対向する一対の縦リブ１６，１６とその間に位置する底リブ１３とは一直線状に並んでいる（リブ列ともいう）。これらリブ列が並ぶ間隔はテープカートリッジＴの幅寸法に合わせて設定されていて、隣接する２つのリブ列の間にテープカートリッジＴを１つずつ挿入して支持させることができる。これらリブ列により、複数のテープカートリッジＴは互いに接触することなく整列した状態で支持され、また、ケース部１０は構造的に強化されている。
【００３５】
ケース部１０における側壁１１ａ側の稜線部２０は、これら複数の縦リブ１６によって複数（本実施形態では６つ）の部分（部分稜線部）に区切られている。
【００３６】
従来、これら部分稜線部に相当する部分の隅部（稜、角の部分）はテープカートリッジＴの隅部形状に合わせてほぼ直角に形成され、更に、これらの稜は同一直線上に位置するように形成されていたため、稜に沿って直線状に大きく破断することがあった（図１２参照）。そこで、本実施形態では、そのような破断を防止できるように稜線部の形状を工夫している。
【００３７】
すなわち、図３、図４に示すように、稜１７の部分の突出量がそれぞれ異なる第１部分稜線部２１と第２部分稜線部２２とを交互に設けた。詳しくは、第１部分稜線部２１の稜１７の部分よりも第２部分稜線部２２の稜１７の部分は外側に大きく突出しており、これら第１部分稜線部２１と第２部分稜線部２２とが稜１７に沿って交互に並ぶように配置されている。一方の部分稜線部２１（２２）は他方の部分稜線部２２（２１）とそれぞれ隣接している。なお、これによる作用効果については後述する。
【００３８】
図４に示すように、稜１７が延びる方向から見た場合に、本実施形態の各部分稜線部２１，２２は、隅部に優弧状の膨出部２３を有している。これら膨出部２３の大部分は、それぞれの部分稜線部２０における底壁１２と側壁１１ａの外郭線よりも外側に位置している。そして、第１部分稜線部２１の膨出部２３が隙間Ｓ１を隔て第２部分稜線部２２の膨出部２３の内側に位置している。つまり、第１部分稜線部２１の膨出部２３は第２部分稜線部２２の膨出部２３よりも小さく形成されている。
【００３９】
図５は、その概略断面図である。同図に示すように、膨出部２３を設けることで、テープカートリッジＴをがたつくことなく収容することができる。すなわち、テープカートリッジＴの隅部がほぼ直角に形成されていても、その隅部を膨出部２３に受け入れることができるので、テープカートリッジＴの外面をケース部１０の底壁１２及び側壁１１ａで隙間無く受け止めることができる。従って、収納時にはテープカートリッジＴとケース部１０との密着度合いが高まって、テープカートリッジＴをがたつくことなく収容でき、余計な荷重が隅部に加わるのを防ぐことができる。
【００４０】
更に、優弧状に形成することで、隅部を構造的に強化できる。すなわち、稜１７の部分に外力が加わった場合には、その外力が効果的に分散し、局所に集中するのを抑制できるので、強度を向上させることができる。つまりクッション性が得られる。
【００４１】
図２に示したように、底壁１２を挟んで対向している一対の稜線部２０，２０において、一方の稜線部２０の第１部分稜線部２１は、他方の稜線部２０の第２部分稜線部２２と対向するように配置するのが好ましい。そうすれば、収納ケース１を積み重ねる際、例えば、収納ケース１の短辺側を同じ向きにした状態で一方の収納ケース１の長辺側を反転させて２つの収納ケース１を接合したとすると、一方の収納ケース１の第１部分稜線部２１は他方の収納ケース１の第２部分稜線部２２と上下に対向し、突出量の大きい第２部分稜線部２２どうしが対向せずに済む。従って、収納ケース１を積み重ねる時に、収納ケース１間の隙間を小さくできる。
【００４２】
本実施形態では、上述した嵌合リブ１４，１５が設けられているので、２つの収納ケース１，１は、例えば、収納ケース１の短辺側を逆向きにした状態で一方の収納ケース１の長辺側を反転させて２つの収納ケース１が接合される。
【００４３】
そのため、本実施形態の収納ケース１では、更に、底壁１２を挟んで対向している一対の稜線部２０，２０のそれぞれにおいて、第１部分稜線部２１及び第２部分稜線部２２を交互に並べ、かつ、両端に位置する部分稜線部が、それぞれ第１部分稜線部２１と第２部分稜線部２２とになるように配置している。そうすることで、先と同様に収納ケース１を積み重ねる際、一方の収納ケース１の第１部分稜線部２１は他方の収納ケース１の第２部分稜線部２２と上下に対向するので、突出量の大きい第２部分稜線部２２どうしが対向せずに済む。
【００４４】
図６に、２つの収納ケース１を積み重ねて連結した状態を示す。同図に示すように、一方の収納ケース１の第１部分稜線部２１は他方の収納ケース１の第２部分稜線部２２と上下に対向するので、収納ケース１間の隙間を小さくできる。
【００４５】
このとき、対向している２つの収納ケース１の底壁１２，１２間の距離Ｌ１よりも、第１部分稜線部２１における底壁１２の外面からの突出量Ｌ２と、第２部分稜線部２２における底壁１２の外面からの突出量Ｌ３との総量の方が小さくなるように設定するのが好ましい。なお、突出量は底壁１２に直交する方向の突出量である。そうすれば、嵌合リブ１４，１５をしっかりと嵌合させることができるうえに、２つの収納ケース１の稜線部２０どうし、詳しくは、一方の収納ケース１の第１部分稜線部２１と他方の収納ケース１の第２部分稜線部２２との接触を確実性をもって避けることができるので、例えば、擦れ合いによる摩耗や潰れ等を効果的に防ぐことができる。
【００４６】
収納ケース１の使用時には、一方の半身ケース２にテープカートリッジＴ，Ｔ，…を入れ込んだ後、被せ付けるようにして他方の半身ケース２を接合する。そうして複数のテープカートリッジＴ，Ｔ，…を収納した収納ケース１は、図７に示すように、外包材である段ボール箱３に収納して梱包され、物流下におかれる。
【００４７】
図８に示すように、物流の過程では、例えば、荷崩れや取り扱い時の不注意により、段ボール箱３がその稜側から床面等Ｆに落下する場合がある。その場合、段ボール箱３は容易に変形するため、その衝突の衝撃のほとんどは梱包されている収納ケース１に作用する。
【００４８】
従来の収納ケース１であれば、部分稜線部２０に相当する部分の突出量は同じであったために、これらが同じように床等に衝突した場合には、直線状の大きな割れを生じることがあった。
【００４９】
それに対し、本実施形態の収納ケース１では、部分稜線部の突出量が異なっているので、突出量の大小により、床面等Ｆに衝突し易い部分稜線部（第２部分稜線部２２）と衝突し難い部分稜線部（第１部分稜線部２１）とが生じる。その結果、稜線部２０の一部（第２部分稜線部２２）が破損することはあっても、大部分（第１部分稜線部２１及び第２部分稜線部２２）が破損して直線状の大きな割れを生じることは阻止できる。
【００５０】
しかも、各稜線部２０には膨出部２３を設けて構造的に強化してあるので、破損それ自体が発生し難くなっている。
【００５１】
特に、第１部分稜線部２１と第２部分稜線部２２とを交互に設けることで、一方の部分稜線部２１（２２）は他方の部分稜線部２２（２１）とそれぞれ隣接するため、第１部分稜線部２１はよりいっそう破損し難くなり、また、第２部分稜線部２２が破損しても小さい割れ目しか生じ得ないので、取り扱い時にテープカートリッジＴが抜け落ちるのを確実性をもって阻止できる。
【００５２】
（変形例）
図９及び図１０に、収納ケース１の変形例を示す。この収納ケース１では、先の実施形態の半身ケース２，２を２つ、その長辺側の一端で連結して一体化し、１つの半身ケースを構成している（第２の半身ケース２Ａ）。この場合、テープカートリッジＴは２列で計１２個収容することができる。連結する半身ケース２を増やせば、収納できるテープカートリッジ数を増やすことができる。
【００５３】
この場合、隣接する２つのケース部１０，１０の間で対向している２つの稜線部２０ａ，２０ａについては、衝突によって大きな外力が作用する虞がないので、従来の収納ケースのように突出量は同じにしてあってもよい。
【００５４】
また、稜１７が延びる方向にケース部１０を延ばして、テープカートリッジＴの収納量を増やしてもよい。
【００５５】
図１１に、稜線部２０の形状に関する変形例を示す。
【００５６】
同図の（ａ）では、底壁１２側にのみ膨出部２３を形成している（第２膨出部２３Ａ）。具体的には、稜１７が延びる方向から見て、各部分稜線部２１，２２の底壁１２における側壁１１ａとの連結部分に、外側に膨出する半円状の第２膨出部２３Ａを形成している。そして、第１部分稜線部２１の第２膨出部２３Ａが、隙間Ｓ２を隔て第２部分稜線部２２の第２膨出部２３Ａの内側に位置している。
【００５７】
この場合、側壁１１ａ側は膨出していないので、成形が容易になる利点がある。すなわち、真空成形では、金型から成形した半身ケース２を抜き取る際には、通常、底壁１２と直交する方向に抜き取るので、無理抜きにならず、容易に抜き取ることができ、生産性に優れる。
【００５８】
特に衝突し易い底壁１２側に第２膨出部２３Ａが形成されているので、破損を効率よく阻止できる。収納したテープカートリッジＴのがたつきも抑制できる。
【００５９】
同図の（ｂ）では、稜１７が延びる方向から見た隅部の形状を、従来の収納ケース１の稜線部２０のように略直角に形成している。図示はしないが、隅部は端面処理を施して劣弧状のアールを形成してあってもよい。但し、第１部分稜線部２１における隅部は、隙間を隔て第２部分稜線部２２における隅部の内側に位置するように構成している。
【００６０】
この場合でも、第１部分稜線部２１と第２部分稜線部２２とで衝突のし易さを異ならせることができるので、大きな割れの発生を抑制することができる。
【００６１】
なお、本発明にかかる収納ケース１は、前記の実施形態や変形例に限定されず、それ以外の種々の構成をも包含する。
【００６２】
例えば、収納ケース１は、ケース部１０を有する容器状の部材と、蓋状の部材とで構成してあってもよい。複数の部分稜線部２０は、突出量が異なる３つ以上の部分稜線部を含むものであってもよい。その並びも必ずしも交互である必要はなく、様々に設定できる。嵌合リブの形状や数、配置等は、必要に応じて適宜変形可能である。必ずしもテープカートリッジＴは１つずつ分けて収納する必要はなく、例えば、数個のテープカートリッジＴごとに収納してもよい。
【符号の説明】
【００６３】
１  収納ケース
２  半身ケース（部材）
１０  ケース部
１１  周壁
１１ａ  側壁
１１ｂ  端壁
１２  底壁
１６  縦リブ（リブ）
１７  稜
２０  稜線部
２１  第１部分稜線部
２２  第２部分稜線部
２３  膨出部
３０  フランジ部
Ｔ  テープカートリッジ
【図１】
2011162252.tif 000003
【図２】
2011162252.tif 000004
【図３】
2011162252.tif 000005
【図４】
2011162252.tif 000006
【図５】
2011162252.tif 000007
【図６】
2011162252.tif 000008
【図７】
2011162252.tif 000009
【図８】
2011162252.tif 000010
【図９】
2011162252.tif 000011
【図１０】
2011162252.tif 000012
【図１１】
2011162252.tif 000013
【図１２】
2011162252.tif 000014